(57)【要約】【課題】本発明は、金属薄板を電磁溶接又は電磁成形加工する平板状コイルに関する。従来の平板状コイルには、機械的強度はあるが、電源のエネルギー移送効率が悪い欠点があった。これを改良した電磁溶接又は電磁成形用の平板状複数巻きコイルを提供する。【手段】ほぼ同じ平板状コイル板３Ａ，３Ｂを２枚重ね、直列に接続した平板状二巻きコイルを電源１およびスイッチ２に接続する。スイッチ２を閉じて、このコイルにパルス大電流を流す。各コイル板には強度がある。電流が集中して流れる中央部分４Ａのインダクタンスは、平板状一巻きコイル（コイル板１枚のコイル）の場合より大きくなるので、電源のエネルギー移送効率がよくなる。【選択図】図１
2007305555.tif 000002
【特許請求の範囲】
【請求項１】
導電性金属板を加工して電源からの往きの電流を流すための幅が狭く、細長い形状の電流集中部を設け、戻りの電流を流すための幅の広い部分を残りの部分に設けた、電気的に絶縁された一枚の板から構成される平板状ワンターンコイル上に金属薄板などを置き、電源からこのコイルに通電して電磁力を発生させ、この電磁力によって前記金属薄板をそれぞれ溶接又は成形する電磁溶接又は電磁成形装置において、
ほぼ同じ形状の二枚以上の前記平板状ワンターンコイルの電流集中部を近づけて配置し、電気的に直列接続した平板状複数巻きコイル。
【請求項２】
前記の平板状ワンターンコイルにおいて、電源からの往きの電流を流すための幅が狭く、細長い形状の電流集中部を中央部分に設け、戻りの電流を流すための幅の広い部分を残りの部分に設け、電流が集中する中央部分を重ね配置することを特徴とする請求項１記載の平板状複数巻きコイル。
【請求項３】
前記の平板状ワンターンコイルにおいて、電源からの往きの電流を流すための幅が狭く、細長い形状の電流集中部分を外側部分に設け、戻りの電流を流すための幅の広い部分を残りの部分に設け、電流集中部分を並べて配置することを特徴とする請求項１記載の平板状複数巻きコイル。
【発明の詳細な説明】
【技術分野】
【０００１】  本発明は、電磁力を利用して金属薄板を溶接又は成形加工する装置に必要な平板状コイルに関するものである。
【技術背景】
【０００２】  アルミニウム、銅などの良導電性金属薄板（被加工材）に、高密度磁束（強磁界）を急激に加え、電磁力を利用して、金属薄板を溶接又は成形加工する方法がある。コンデンサ電源などからコイルに最大値１００ｋＡ以上のパルス大電流を流し、高密度磁束を瞬間的に発生させ、大きな電磁力を金属薄板に加える。この結果、金属薄板は溶接又は成形加工される。一般的に、加工時間は数１００μｓ以下、金属薄板の厚さは２ｍｍ以下である。この方法では、金属薄板（被加工材）と絶縁したコイルを互いに接近させ、このコイルに大電流が流れたとき、両者の電磁誘導結合（以下，電磁結合）が強くなるようにしてある。この電磁結合が悪い場合、発生する電磁力が弱くなり、十分に電磁溶接又は電磁成形することができない。
【０００３】  コイル形状としては、被加工材（板）との電磁結合が強い平面的なコイルが使われている。例えば、本発明者が開発した電磁溶接法で使われている平板状ワンターンコイルがある（特許文献１）。この平板状ワンターンコイルは、例えば、一枚の銅板に２本の溝を加えＥ字型の形態とし、板材の幅が狭く、細長い中央部分を往きの電流用、その両側の幅の広い周辺部分を戻りの電流用として、電源からパルス大電流を往復して流し、幅が狭く、細長い中央部分を電流集中部とし、この部分に高密度の磁束を発生させる。また、この平板状ワンターンコイルは電磁成形用にも使われている（特許文献２）。
【特許文献１】  特許第３７５１１５３号（図４）
【特許文献２】  特願２００６−１２６１９２号
【０００４】  前記の平板状ワンターンコイルには、次のような優れた特徴がある。電線を巻いた平面的なコイルと異なり、コイルとしてのインダクタンスが小さく、大電流を流し易い。板状のため１００ｋＡ以上のパルス大電流が流れても損傷を受けにくい。コイル（板状）と被加工材（板）との電磁結合が強い。電磁成形用コイルでは、発生する磁束密度が広い範囲で一様である。
【発明の開示】
【発明が解決しようとする課題】
【０００５】  先ず、公知である一枚板から作られた平板状ワンターンコイルを用いた電磁溶接又は電磁成形を行う装置の概略を以下に説明する。次に、この平板状ワンターンコイルの問題点（欠点）を述べる。【０００６】  図７はこの平板状ワンターンコイルを用いた電磁溶接装置の概略図であり、（Ａ）は平面図、（Ｂ）は平板状ワンターンコイルの斜視図である。この装置の主な構成要素は、図７（Ａ）、（Ｂ）に示すように、コンデンサ電源１、スイッチ２、磁束発生用の平板状ワンターンコイル３である。平板状ワンターンコイル３は電気的に絶縁された一枚の平板からなっている。このコイル３は、幅が狭く、細長い中央部分４Ａ（電流の往路）、その両側の幅の広い周辺部分４Ｂ，４Ｃ（電流の復路）およびこれらを片端側で接続する部分４Ｄから構成されている。【０００７】  コンデンサ電源１を充電し、スイッチ２を閉じて放電させると、平板状ワンターンコイル３にパルス大電流が往復して流れる。実際の装置では、電源１、スイッチ２および平板状ワンターンコイル３を接続している部分（図７（Ａ）に細い線で示されている）は、幅広い導体板で配線され回路のインダクタンスおよび抵抗を少なくしている。【０００８】  図７に示す装置は、図８に示すように平板状ワンターンコイル３の片側（上部）に被溶接材である金属薄板５を重ね配置し、これらを溶接するものである。図８で、平板状ワンターンコイル３、金属薄板５および固定具６は、締め付け器具（図示されていない）によって固定されている。【０００９】  スイッチ２を閉じて平板状ワンターンコイル３に電流を急激に流すと、このコイル３の中央部分４Ａに高密度（磁束密度Ｂ）の磁束７が急激に発生する。この磁束７の一部は、金属薄板５に交差する。この結果、電磁誘導作用によって下側の金属薄板５に渦電流（電流密度ｉ）が流れ、加熱される。また、単位体積あたり働く電磁力ｆが下側の金属薄板５を上側の金属薄板５へ押圧する。この結果、金属薄板５はコイル３の中央部分４Ａに沿って溶接される。電磁力ｆは次のベクトル式で与えられる。
【式１】
ｆ＝ｉ×Ｂ
【００１０】  また、図９は平板状ワンターンコイル３の片側（上部）に被加工材である金属薄板５を配置し、これを張出し成形加工するものである。図９で、平板状ワンターンコイル３、金属薄板５および金型８は、締め付け器具（図示されていない）によって固定されている。
【００１１】  スイッチ２を閉じて平板状ワンターンコイル３に電流を急激に流すと、このコイル３の中央部分４Ａに高密度（磁束密度Ｂ）の磁束７が急激に発生する。この磁束７の一部は、金属薄板５に交差する。この結果、電磁誘導作用によって金属薄板５に渦電流（電流密度ｉ）が流れる。また、電磁力ｆが金属薄板５を上側の金型８へ押圧する。この結果、金属薄板５は金型８によって成形加工される。
【００１２】  次に、前述した平板状ワンターンコイルの問題点（欠点）を示す。
【００１３】  例えば、電磁溶接用の平板状ワンターンコイル３の中央部分４Ａの幅は、ここに電流を集中させ、高密度磁束を発生させるため、５ｍｍ程度である。中央部分４Ａの長さは１００ｍｍ程度、厚さは２ｍｍ程度である。この場合、中央部分４Ａのインダクタンスは、約０．０４μＨと概算できる。また、電磁成形用の平板状ワンターンコイル３の中央部分４Ａの幅は２０ｍｍ程度、中央部分４Ａの長さは１００ｍｍ程度、厚さは２ｍｍ程度である。この場合、中央部分４Ａのインダクタンスは、約０．０１μＨと概算できる。平板状ワンターンコイル３としてのインダクタンスは、その中央部分４Ａに電流が集中して流れるので、中央部分４Ａインダクタンスにほぼ等しい。
【００１４】  インダクタンスは電流が流れる部分の形状によって定まる値であり、電流回路の各部分に存在する。インダクタンスは、平板状ワンターンコイル以外に電源内部、スイッチなどにも存在する。パルス大電流用の電源としては、通常、コンデンサ電源が使われる。一般的なコンデンサ電源の内部、スイッチなどに残留するインダクタンスは、０．０２〜０．０４μＨである。この残留インダクタンスをさらに減少させるには限度がある。
【００１５】  平板状ワンターンコイル３は、基本的にそのインダクタンスが小さく、大電流を流し易い構造である。しかし、このインダクタンスが小さすぎると問題（欠点）となることを理論的に説明する。
【００１６】  コンデンサ電源を用いた電磁溶接又は成形装置（回路）の電気回路図を図１０に示す。この電気回路は基本的にコンデンサ電源１と平板状ワンターンコイル３をスイッチ２を通して結ぶ回路であり、金属薄板５が平板状ワンターンコイル３の上にない状態である。コンデンサ電源１は静電容量Ｃ、内部インダクタンスＬ１および内部抵抗Ｒ１から、スイッチ２はインダクタンスＬ２および抵抗Ｒ２から、平板状ワンターンコイル３はインダクタンスＬｃおよび抵抗Ｒｃからなる。装置（回路）には他に、接続用配線部分のインダクタンスＬ３および抵抗Ｒ３が存在する。配線部分のインダクタンスＬ３および抵抗Ｒ３は、実際には分散して存在するが、図１０ではまとめて示してある。
【００１７】  金属薄板５が平板状ワンターンコイル３の上にない状態での電気回路図１０の等価回路を図１１に示す。直列に存在する各部分の抵抗を加えて抵抗Ｒとし、平板状ワンターンコイル３のインダクタンスＬｃ以外の各インダクタンスを加えて残留インダクタンスＬｒとしてある。
【００１８】  金属薄板５が平板状ワンターンコイル３上にある状態での前記装置の等価回路を図１２に示す。金属薄板５はインダクタンスＬｓおよび抵抗Ｒｓからなる。インダクタンスＬｃとインダクタンスＬｓは相互インダクタンスＭで電磁結合している。等価回路図１２の１次側回路は図１１と同じ回路である。等価回路図１２の２次側回路は金属薄板５である。２次側回路に流れる電流は、金属薄板５に流れる渦電流に対応している。
【００１９】  等価回路（図１２）を１次回路側から見た別の等価回路で表すと図１３となる。回路の抵抗は１つの等価抵抗Ｒｅで表され、インダクタンスＬｃとインダクタンスＬｓが電磁結合している部分は１つの等価インダクタンスＬｅで表される。等価インダクタンスＬｅは、実効インダクタンスとも呼ばれ、平板状ワンターンコイル３が金属薄板５と電磁結合した状態での値である。この値は平板状ワンターンコイル３単独での値に比べ減少する。平板状ワンターンコイル３と金属薄板５とは片面だけで電磁結合しているので、平板状ワンターンコイル単独での値に比べ最大で５０％減少する。しかし、実際の装置では，平板状ワンターンコイルや金属薄板に厚さがあり、絶縁のため０．１〜０．３ｍｍ程度離れており、さらに重なる面積が異なるので、減少する割合は２５〜５％となる。
【００２０】  通常、パルス大電流を流す前記の装置（等価回路）では等価抵抗Ｒｅが非常に小さいので、流れる電流は装置（等価回路）のインダクタンスによて制限される。充電したコンデンサ電源１をスイッチ２を閉じて放電したとき、電源の静電エネルギーは主に磁気エネルギーとして残留インダクタンスＬｒ部分および平板状ワンターンコイル３の等価インダクタンスＬｅ部分に移送される。平板状ワンターンコイル３の等価インダクタンスＬｅ部分へ移送された磁気エネルギーが、電磁力を発生させる（非特許文献１）。残留インダクタンスＬｒ部分に移送される磁気エネルギーは、電磁力とならず無駄に消費される。電源のエネルギーを効率よく平板状ワンターンコイル３へ移送し、大きな電磁力を発生するためには、コイル３の中央部分４Ａのインダクタンス又は被加工材（板）と電磁結合したこの部分の等価インダクタンスＬｅを、残留インダクタンスＬｒに比べ大きくする必要がある。
【非特許文献１】  日本塑性加工学会編「高エネルギー速度加工」、コロナ社（１９９３年）ｐ．１６６〜ｐ．１６７
【００２１】  電源の静電エネルギーに対する、等価インダクタンスＬｅ部分へ移送された磁気エネルギーの割合を電源エネルギーの移送効率ηと呼んでいる。この移送効率ηは等価抵抗Ｒｅを無視（零と）したとき、次式で与えられる（非特許文献１）。
【式２】
η＝Ｌｅ／（Ｌｅ＋Ｌｒ）
【００２２】  電源のエネルギー移送効率を比較した例を次に示す。ここでは、等価抵抗Ｒｅを無視し、残留インダクタンスを０．０２μＨ、コイルの中央部分４Ａの厚さを２ｍｍとし、比較が容易なコイル単独でのインダクタンスを用いて概算した。
【００２３】  中央部分４Ａの長さ１００ｍｍ、幅５ｍｍの場合、平板状ワンターンコイル３のインダクタンスは約０．０４μＨでエネルギー移送効率は約７０％となる。中央部分４Ａの長さ１００ｍｍ、幅２０ｍｍの場合、平板状ワンターンコイル３のインダクタンスは約０．０１μＨと小さくなり、エネルギー移送効率約３０％となる。中央部分４Ａの長さ２５ｍｍ、幅５ｍｍの場合、平板状ワンターンコイル３のインダクタンスは約０．０１μＨと小さくなり、エネルギー移送効率約３０％となる。
【００２４】  以上のように、平板状ワンターンコイル３の中央部分４Ａの幅を広くするか長さを短くすると、この部分のインダクタンスが減少する。このインダクタンスが、残留インダクタンスと同程度以下になると、電源のエネルギーが平板状ワンターンコイル３へ移送される割合が半分以下に少なくなる。電流が残留インダクタンスＬｒによって制限される割合が大きくなる。結果として、効率よく電磁力を発生することができない。
【００２５】  中央部分４Ａの幅を広くした平板状ワンターンコイル３は、電源エネルギーの移送効率が約３０％の状態で電磁張出し成形用に使用されている（特許文献２）。また、中央部分４Ａの長さを短くした平板状ワンターンコイル３は、エネルギー移送効率が約４０％の状態で端子板の電磁圧接（溶接）用に使われている（非特許文献２）。
【非特許文献２】  電子情報通信学会技術研究報告１０５巻４８５号、ＥＭＤ２００５−１００、ｐ．１９〜ｐ．２４
【００２６】  平板状ワンターンコイル３には以上のような欠点がある。これを改良し、平板状ワンターンコイル３の中央部分４Ａの幅を広くするか長さを短くしても、電源エネルギーの移送効率が高くなる平板状コイルが望まれる。本発明の目的は、このような平板状コイルを提供することにある。
【００２７】  なお、電源エネルギーの移送効率が悪い平板状ワンターンコイル３を使う場合でも、電源のエネルギーを増加すれば大きな磁気エネルギーをコイル３へ移送できるが、電源部分の容積と重量が増加する欠点がある。エネルギーの移送効率が悪いワンターンコイルを使うと省エネルギーの点からも良くない。
【課題を解決するための手段】
【００２８】  電流が集中する中央部分の幅を広くした平板状ワンターンコイルのインダクタンスを、増加させる手段として次のことが考えられる。中央部分の長さを短くした平板状ワンターンコイルの場合にも適応できる。
【００２９】（１）中央部分の幅が広い平板状ワンターンコイルの板厚を１／２に減らし平板状コイル板とする。この平板状コイル板を絶縁し、２枚重ねて配置する。これらのコイル板３Ａ、３Ｂを直列に接続し、電流が２つの中央部分４Ａで同方向へ流れるようにする。結果としてコイル巻数が２倍になるので、インダクタンスは約４倍になる。コイル全体の板厚、電流集中部分の幅は変化しない。
【００３０】（２）中央部分の幅が広い平板状ワンターンコイルを、中央部分の電流が流れる方向の中心線で２等分する。そのまま互いに絶縁し、切断部分を接近させて配置する。２つに分かれた平板状コイル板１１を直列に接続し、２つの電流集中部分１２で同方向へ流れるようにする。この場合も、コイル巻数が２倍になるので、インダクタンスは約４倍になる。コイル全体の板厚、電流が集中する部分の幅は等価的には変化しない。
【００３１】（３）電流が集中する部分の幅が広い平板状ワンターンコイルの電流集中部分に小半径の穴を多数あけ、電流を流れにくくする。穴の径や分布を選択すれば、コイルのインダクタンスは増加する。コイル板厚、電流が集中する部分の幅は変化しない。
【００３２】  本発明は、以上の手段を基にして、エネルギー効率よく電磁溶接又は電磁成形を行うことのできる平板状コイル、具体的には複数の平板を並べるか重ねるなどして構成した平板状複数巻きコイルを提供する。
【００３３】  なお、平板状複数巻きコイルのインダクタンスが増加すると、このコイルに流れる電流の大きさ、波形も変化する。これを防ぐには、コンデンサ電源のエネルギーを変えず、静電容量を小さくし、充電電圧を高くすればよい。コイルに流れる電流波形は、一般に減衰振動波形となるが、その振動周期はコイルを含む電気回路のインダクタンスと静電容量との積の平方根にほぼ比例するからである。
【発明の効果】
【００３４】  請求項１〜３記載の発明による平板状複数巻きコイルを図８又は図９の平板状ワンターンコイル３に替えて使用すれば、金属薄板を同様に電磁溶接又は電磁成形できる。その際、平板状複数巻きコイルにパルス大電流が流れても損傷を受けにくい。また、平板状コイルにもかかわらずインダクタンスが大きいので、電源エネルギーの移送効率がよくなる。
【００３５】  前記平板状複数巻きコイルは、コイルのインダクタンスが大きくなるので、別の利点も生じる。実際の装置では周囲の状況やロボットアームへの組込みから、このコイルを電源（スイッチを含む）から数ｍ離して使用することがある。この場合、これらコイルと電源を接続する部分のインダクタンスが増加するので、従来の平板状ワンターンコイルでは、電源の移送効率が悪くなる。前記平板状複数巻きコイルでは、電源から数ｍ離して使用しても、電源の移送効率が悪くなるのを防げる。
【発明を実施するための最良の形態】
【００３６】  以下に本発明の実施の形態を添付図面に基づいて説明する。
【実施例１】
【００３７】  図１にコイル板３Ａ、３Ｂを２枚重ねた平板状二巻きコイルの電気的接続と構成を分解斜視図で示す。また、図２に平板状二巻きコイルの実際の接続例を分解斜視図で示す。ここで、コイル板３Ａ、３Ｂの板厚は１ｍｍ程度と薄いので面で示してある。コイル板３Ａ、３Ｂを絶縁して重ね、その接続部９、１０をそれぞれ溶接すればコイル板３Ａ、３Ｂは直列接続される。【００３８】  前述の平板状二巻きコイルの数値例などを述べる。コイル板３Ａ、３Ｂの材質はクロム銅、その板厚は１ｍｍ、コイル中央部分４Ａの長さは１００ｍｍ、幅は２０ｍｍである。２枚のコイル板は厚さ０．１ｍｍ程度のポリイミドなどの薄いシート（図示されていない）で絶縁されている。実際に密着した平板状二巻きコイルの厚さは約２ｍｍである。コイル板３Ａ、３Ｂのインダクタンスは約０．０１μＨである。コイルには高周波電流が流れるためコイルインダクタンスは、板厚（１ｍｍと２ｍｍ）にほとんど依らない。コイル板３Ａ、３Ｂを図２のように直列接続すれば、二巻きコイルのインダクタンスは約０．０４μＨとなる。  コイルのインダクタンスは、スイッチおよびコンデンサ電源内部に残留するインダクタンス０．０２μＨに比べて大きくなるので、電源エネルギーの移送効率がよくなる。概算上では、移送効率が約７０％になる。【００３９】  同様に前記コイル板を３枚重ねて、直列接続すれば、三巻きコイルのインダクタンスはさらに大きくなる。【００４０】  平板状二巻きコイルと平板状ワンターンコイル３を比較した実験例を以下に示す。図９の電磁張出し成形装置においてコンデンサ電源の静電容量を１００〜４００μＦ、電源エネルギーを２〜４ｋＪとし、中央部分４Ａの幅２０ｍｍ、長さ１３０ｍｍ、厚さ２ｍｍの平板状二巻きコイルを用い、電磁張出し実験を行った。同じ電源エネルギーで、ほぼ同寸法の平板状ワンターンコイル３で張出し成形した場合と比較したところ、成形量が３０％以上大きくなった。
【実施例２】
【００４１】  前記コイル板３Ａを、中央部分４Ａの電流が流れる方向の中心線で２等分したコイル板１１を使用する。図３にコイル板１１の電流集中部分１２を接近させて平面上に２枚並べた平板状二巻きコイルの接続と構成を示す。このコイルの数値例を以下に述べる。コイル板１１の材質はクロム銅、その板厚は１ｍｍ、コイル板１１の電流集中部１２の長さは１００ｍｍ、幅は１０ｍｍである。２枚のコイル板１１は厚さ０，１ｍｍ程度のポリイミドなどの薄いシート（図示されていない）で絶縁されている。コイル板１１のインダクタンスは約０．０３μＨである。これらを図３のように直列接続すれば、平板状二巻きコイルのインダクタンスは約０．１μＨとなる。この場合も、この平板状二巻きコイルのインダクタンスは、スイッチおよびコンデンサ電源内部に残留するインダクタンス０．０２μＨに比べ大きくなるので、電源エネルギーの移送効率がよくなる。
【実施例３】
【００４２】  図４にコイル板１１の電流集中部１２を接近させて平面上に２枚並べ、さらにこれらを重ねた平板状四巻きコイルの接続と構成を分解斜視図で示す。各コイル板１１を図４のように直列接続すれば、四巻きコイルのインダクタンスは０．４μＨ以上となる。電源エネルギーの移送効率はさらによくなる。
【実施例４】
【００４３】  図５に円形状にシーム溶接する場合の平板状二巻きコイルの接続と構成を示す。円形状部分の幅は３〜５ｍｍ、平均直径は３０〜６０ｍｍである。円形状部分の平均直径が３０〜４０ｍｍ程度に小さくなると、円形状部分に電流を並列に流す平板状ワンターンコイル（特許文献３）に比べエネルギー移送効率がよくなる。
【特許文献３】  特開２００４−３４２５３５号（図１０）
【実施例５】
【００４４】  図６に円形状にシーム溶接する場合の別の平板状二巻きコイルの接続と構成を示す。円形状部分の幅、平均直径は実施例４と同様である。この実施例は円形状部分に電流を並列に流す平板状ワンターンコイル（特許文献３）を２枚重ね平板状二巻きコイルとしている。平板状二巻きコイルのインダクタンスは前記平板状ワンターンコイルのインダクタンスの約４倍になるので、エネルギー移送効率がよくなる。
【実施例６】
【００４５】  図７に示した平板状ワンターンコイル３などの中央部分４Ａに直径１〜２ｍｍ程度の円などの孔（穴）を多数あける。この結果、電流が流れにくくなるの中央部分４Ａのインダクタンスが増加する。電源エネルギーの移送効率が改善される。前記実施例のコイル板３Ａ、３Ｂ、１１についても同様に孔をあけることができる。あける孔の数が多すぎると、コイル板の強度が下がる。孔のあいたコイル板の重量は、孔のあいていないときのコイル板の重量の５０〜７０が適当である。インダクタンスは１０〜３０％程度増加する。
【図面の簡単な説明】
【００４６】
【図１】  本発明の実施例１の電気的接続と構成を示す分解斜視図である。
【図２】  本発明の実施例１の具体的接続例を示す分解斜視図である。
【図３】  本発明の実施例２の概略を示す正面図である。
【図４】  本発明の実施例３の電気的接続と構成を示す分解斜視図である。
【図５】  本発明の実施例４の概略を示す正面図である。
【図６】  本発明の実施例５の電気的接続と構成を示す分解斜視図である。
【図７】  平板状ワンターンコイルを用いた典型的な電磁溶接又は電磁成形装置の概略図である。（Ａ）は平面図、（Ｂ）はコイルの斜視図である。
【図８】  図７に示すコイル上部に金属薄板と固定具を配置し、電磁溶接する方法を示す概略図である。（Ａ）は平面図、（Ｂ）は断面図である。
【図９】  図７に示すコイル上部に金属薄板と金型を配置し、電磁張出し成形する方法を示す概略図である。（Ａ）は平面図、（Ｂ）は断面図である。
【図１０】  金属薄板がない状態のコイルとコンデンサ電源を結ぶ電気回路図である。
【図１１】  電気回路（図１０）の等価回路である。
【図１２】  金属薄板がある状態のコイルとコンデンサ電源を結ぶ電気回路図の等価回路である。
【図１３】  等価回路（図１２）を１次回路側から見た別の等価回路である。
【符号の説明】
【００４７】１          電源又はコンデンサ電源
２          スイッチ
３          平板状ワンターンコイル
３Ａ、３Ｂ  平板状コイル板
４Ａ        平板状ワンターンコイル又は平板状コイル板の中央部分
４Ｂ，４Ｃ  平板状ワンターンコイルの周辺部分
５          金属薄板
６          固定具
７          磁束
８          金型
９、１０    平板状コイル板の接続部
１１        平板状コイル板を２等分したコイル板
１２        平板状コイル板を２等分したコイル板の電流集中部分
１３        円形にシーム溶接するコイル板
１４        円形にシーム溶接するコイル板の電流集中部分
【図１】
2007305555.tif 000003
【図２】
2007305555.tif 000004
【図３】
2007305555.tif 000005
【図４】
2007305555.tif 000006
【図５】
2007305555.tif 000007
【図６】
2007305555.tif 000008
【図７】
2007305555.tif 000009
【図８】
2007305555.tif 000010
【図９】
2007305555.tif 000011
【図１０】
2007305555.tif 000012
【図１１】
2007305555.tif 000013
【図１２】
2007305555.tif 000014
【図１３】
2007305555.tif 000015